(57)【要約】【課題】被着体に貼付される付箋の浮きを抑制させうる付箋積層体、および付箋積層体の製造方法を提供する。【解決手段】付箋積層体１００は、シート状の基材１２０の一方の面１２１の一部に粘着剤層１３０を有する付箋１１０が複数積層されているとともに、積層方向Ｄに隣り合う付箋同士が、前記一方の面の反対の他方の面１２２と粘着剤層とで、剥離自在に貼り合わされている。また、付箋積層体は、少なくとも、粘着剤層の形成されている粘着部１０１と、その他の部分である非粘着部１０２との境界１０３において、積層方向の最外面で前記一方の面のある側１０４が凹となり、積層方向の最外面で前記他方の面のある側１０５が凸となるように湾曲している。【選択図】図１
2020029007.tif 000002
【特許請求の範囲】
【請求項１】
シート状の基材の一方の面の一部に粘着剤層を有する付箋が複数積層されているとともに、積層方向に隣り合う前記付箋同士が、前記一方の面の反対の他方の面と前記粘着剤層とで、剥離自在に貼り合わされている付箋積層体であって、
当該付箋積層体は、
少なくとも、前記粘着剤層の形成されている粘着部と、その他の部分である非粘着部との境界において、
前記積層方向の最外面で前記一方の面のある側が凹となり、前記積層方向の最外面で前記他方の面のある側が凸となるように湾曲している、付箋積層体。
【請求項２】
前記基材は、紙である、請求項１に記載の付箋積層体。
【請求項３】
シート状の基材の一方の面の一部に、粘着剤を塗工する粘着剤塗工工程と、
前記基材同士を、前記一方の面の反対の他方の面と前記一方の面とで隣り合わせつつ、複数積層する積層工程と、を有するとともに、
前記粘着剤塗工工程と前記積層工程との間、または前記積層工程後、
前記基材を、少なくとも前記粘着剤の塗工部と当該塗工部と異なる未塗工部との境界において湾曲させる曲げ工程を有し、
当該曲げ工程において、前記基材を、
前記基材の積層方向の最外面で前記一方の面のある側が凹となり、前記積層方向の最外面で前記他方の面のある側が凸となるように、湾曲させる、付箋積層体の製造方法。
【請求項４】
前記基材は、紙である、請求項３に記載の付箋積層体の製造方法。
【請求項５】
前記曲げ工程において、前記基材を、力を加えることによって湾曲させる、請求項３または請求項４に記載の付箋積層体の製造方法。
【請求項６】
前記曲げ工程において、前記基材を、前記一方の面と前記他方の面との膨張・収縮の違いによって湾曲させる、請求項４に記載の付箋積層体の製造方法。
【発明の詳細な説明】
【技術分野】
【０００１】
本発明は、付箋積層体および付箋積層体の製造方法に関する。
【背景技術】
【０００２】
従来、付箋が積層された付箋積層体がある（例えば特許文献１）。付箋は、付箋積層体から剥がされ、目的の被着体に貼付される。その際、付箋は、一般的にめくるようにして剥がされ、その結果、カールするようにクセがつくことがある。
【先行技術文献】
【特許文献】
【０００３】
【特許文献１】特開２００９−１３２００６号公報
【発明の概要】
【発明が解決しようとする課題】
【０００４】
しかしながら、そのようなクセがついてしまうと、被着体に貼付された付箋に浮きが生じ易い。特に、付箋において、粘着剤層のある箇所は被着体に固定されるためクセの影響が出難いものの、粘着剤層のある箇所とない箇所との境界で上記のようなクセがつくと、付箋に浮きが生じ易く、はがれ等の要因となるため、好ましくない。
【０００５】
そこで、本発明は、被着体に貼付される付箋の浮きを抑制させうる付箋積層体、および付箋積層体の製造方法を提供することを目的とする。
【課題を解決するための手段】
【０００６】
上記目的を達成するための本発明の付箋積層体は、シート状の基材の一方の面の一部に粘着剤層を有する付箋が複数積層されているとともに、積層方向に隣り合う前記付箋同士が、前記一方の面の反対の他方の面と前記粘着剤層とで、剥離自在に貼り合わされている。また、本発明の付箋積層体は、少なくとも、前記粘着剤層の形成されている粘着部と、その他の部分である非粘着部との境界において、前記積層方向の最外面で前記一方の面のある側が凹となり、前記積層方向の最外面で前記他方の面のある側が凸となるように湾曲している。
【０００７】
上記目的を達成するための本発明の付箋積層体の製造方法は、シート状の基材の一方の面の一部に、粘着剤を塗工する粘着剤塗工工程と、前記基材同士を、前記一方の面の反対の他方の面と前記一方の面とで隣り合わせつつ、複数積層する積層工程と、を有する。また、本発明の付箋積層体の製造方法は、前記粘着剤塗工工程と前記積層工程との間、または前記積層工程後、前記基材を、少なくとも前記粘着剤の塗工部と当該塗工部と異なる未塗工部との境界において湾曲させる曲げ工程を有し、当該曲げ工程において、前記基材を、前記基材の積層方向の最外面で前記一方の面のある側が凹となり、前記積層方向の最外面で前記他方の面のある側が凸となるように、湾曲させる。
【発明の効果】
【０００８】
上記構成を有する発明によれば、付箋積層体における粘着部と非粘着部との境界の湾曲した形状が、付箋を剥がす際にその境界に生じるクセを相殺するため、被着体に貼付される付箋の浮きを効果的に抑制できる。
【図面の簡単な説明】
【０００９】
【図１】実施形態の付箋積層体を示す図である。
【図２】粘着剤が塗工されたシート状の基材を示す図である。
【図３】粘着剤が塗工されたシート状の基材の積層を示す図である。
【図４】基材の積層によって形成された積層体の切断を示す図である。
【図５】切断によって形成された複数の積層体を示す図である。
【図６】付箋が剥がされる実施形態の付箋積層体を示す図である。
【図７】被着体に貼付された付箋に浮きが生じた状態を示す図である。
【図８】被着体に貼付された付箋の浮きが抑制された状態を示す図である。
【発明を実施するための形態】
【００１０】
以下、添付した図面を参照しながら、本発明の実施形態を説明する。なお、図面の寸法比率は、説明の都合上誇張されており、実際の比率とは異なる。
【００１１】
図１に示すように、実施形態の付箋積層体１００は、付箋１１０が複数積層された構成を有する。それぞれの付箋１１０は、紙によって構成されたシート状の基材１２０と、粘着剤層１３０とを有する。基材１２０を構成する紙は、例えば、上質紙、アート紙、コート紙、クラフト紙等であるが、特に限定されない。粘着剤層１３０は、基材１２０の一方の面１２１の一部に形成されている。
【００１２】
付箋１１０同士は、それらの積層方向Ｄで隣り合い、面１２１の反対の他方の面１２２と粘着剤層１３０とで、剥離自在に貼り合わされている。
【００１３】
付箋積層体１００は、粘着剤層１３０の形成されている粘着部１０１と、その他の部分である非粘着部１０２との境界１０３において、湾曲しており、積層方向Ｄの最外面で面１２１のある側１０４が凹となり、積層方向Ｄの最外面で面１２２のある側１０５が凸となっている。
【００１４】
次に、付箋積層体１００の製造方法について述べる。
【００１５】
付箋積層体１００の製造方法は、粘着剤塗工工程、および積層工程を有し、また、積層工程後、基材１２０を湾曲させる曲げ工程を有する。
【００１６】
図２に示すように、粘着剤塗工工程では、基材１２０の一方の面１２１の一部に、粘着剤３０が塗工される。粘着剤３０の塗工箇所は、一箇所に限定されず、複数箇所であってもよい。粘着剤３０は、どのような方法で塗工されるか特に限定されず、例えば、ロータリースクリーン印刷等の印刷技術によって塗工されてもよく、あるいは、塗工方向に沿ってストライプ状に延びる塗工箇所が複数同時に形成されるようなストライプ塗工によって、塗工されてもよい。
【００１７】
粘着剤３０は、例えば、ポリ（メタ）アクリル酸エステルとタッキファイヤーとを主成分とするアクリル系粘着剤であるが、これに限定されず、他の公知の粘着剤を使用してもよい。
【００１８】
図３に示すように、積層工程では、粘着剤３０の塗工された基材１２０同士が、面１２１とその反対の面１２２とで隣り合わせて複数積層され、積層体１０が形成される。積層体１０では、粘着剤３０の塗工部１１が積層方向Ｄに並び、また、塗工部１１と異なる未塗工部１２が積層方向Ｄに並ぶ。
【００１９】
粘着剤３０の乾燥・硬化は、粘着剤塗工工程と積層工程との間に行われてもよいし、積層工程後に行われてもよい。粘着剤３０が乾燥・硬化することによって、粘着剤層１３０が形成される。
【００２０】
図４に示すように、積層工程後、積層体１０は、刃Ｂによって塗工部１１で切断され、複数個の積層体１０ａに分けられる。図４に示した例では、積層体１０は、２つの積層体１０ａに分けられているが、何分割するかは特に限定されず、例えば、積層体１０に切断箇所となる塗工部１１をより多く設けておき、２つよりも多い積層体１０ａが形成されるようにしてもよい。曲げ工程は、例えば、積層体１０ａの形成後に行われる。
【００２１】
図５に示すように、曲げ工程では、積層体１０ａに力Ｆが加えられ、少なくとも塗工部１１と未塗工部１２との境界１３において、基材１２０が上述の境界１０３と同様の湾曲した形状に変形させられる。
【００２２】
曲げ工程は、積層体１０ａの形成後に力Ｆを加えることによって行われたが、これに限定されず、積層体１０ａの形成と同時に、刃Ｂが基材１２０を面１２２側から面１２１側に押圧する力を利用して行われてもよい。この場合、刃Ｂの押圧力は、積層された複数の基材１２０を切断し、かつ境界１３を所望の湾曲形状に塑性変形させるのに必要な力以上である。
【００２３】
このように刃Ｂの押圧力を利用して基材１２０を湾曲させるようにすれば、積層体１０ａの形成と曲げ工程とを同時に行うことができ、作業効率が増す。
【００２４】
また、曲げ工程は、力を加えて基材１２０を湾曲させる形態に限定されず、例えば、基材１２０の一方の面１２１と他方の面１２２との膨張・収縮の違いを利用して、基材１２０を境界１３で湾曲させるようにしてもよい。
【００２５】
そのような形態として、例えば、水系のエマルジョン型粘着剤を粘着剤３０として用いることが考えられる。
【００２６】
この例においては、粘着剤３０が塗工された基材１２０の一方の面１２１で、紙の基材１２０に粘着剤３０中の水分が吸収されるため、面１２１は、他方の面１２２に比べ、相対的に大きく膨張し、また乾燥時の収縮も相対的に大きくなる。このような面１２１、１２２での膨張・収縮の違いを利用し、面１２１側が凹となり面１２２側が凸となる湾曲が生じるよう、水系のエマルジョン型粘着剤の水分量や乾燥条件を調整すれば、必ずしも力Ｆを加えずとも、境界１３を所定の形状に湾曲させることができる。
【００２７】
また、水系のエマルジョン型粘着剤を利用せずとも、例えば、一方の面１２１にスプレー等によって他方の面１２２よりも水分を多く含ませる、あるいは、ヒータ等を用いて面１２１、１２２で乾燥条件を変える等、他の手段によって、面１２１、１２２での膨張・収縮の差を生じさせることが可能である。
【００２８】
また、曲げ工程は、積層工程後に行われる形態に限定されず、粘着剤塗工工程と積層工程との間に行われてもよい。この場合、例えば、積層工程前に、各基材１２０を境界１３で湾曲させておき、予め形状づけられた各基材１２０を、積層工程で複数積層していく。
【００２９】
曲げ工程は、積層工程後に行われる場合と積層工程前に行われる場合のいずれにしろ、結果として、付箋積層体１００における境界１０３の湾曲形状を形成すればよい。
【００３０】
次に、本実施形態の作用効果を述べる。
【００３１】
図６に示すように、本実施形態の付箋積層体１００は、付箋１１０を剥がして使用される。その際、めくるようにして剥がされるのが一般的で、このような剥がし方は、カールするようなクセがつく要因となりうる。
【００３２】
図７に示すように、そのようなクセがついた付箋１１０Ａは、被着体Ｓに貼付された際、浮きが生じ、はがれ等の要因となるため、好ましくない。粘着部１０１は被着体Ｓに固定されるためクセの影響が出難いものの、境界１０３にクセがついてしまうと、非粘着部１０２の全体が浮き、クセの影響が特に出易い。
【００３３】
しかしながら、本実施形態では、境界１０３に予めつけられている湾曲した形状が、付箋積層体１００から付箋１１０を剥がす際に生じるクセを相殺する。
【００３４】
このため、図８に示すように、付箋１１０は、浮きが効果的に抑制され、被着体Ｓに貼付された際、略平坦な状態になる。
【００３５】
本実施形態のように基材１２０が紙であると、例えば樹脂フィルム等に比べ、付箋積層体１００から剥がす際にカールするようなクセがつき易いが、境界１０３における湾曲した形状によって、クセのつき易い形態であっても浮きが抑制されるため、特に有効である。
【００３６】
境界１０３を湾曲させる曲げ工程において、基材１２０に力を加えて湾曲させるようにすれば、例えば力の大きさや力を加える位置等の調節が容易であり、基材１２０を所望の形状に湾曲させ易い。
【００３７】
一方、曲げ工程において、基材１２０の一方の面１２１と他方の面１２２との膨張・収縮の違いによって、基材１２０を湾曲させるようにすれば、力を加えなくて済み、労力が軽減される。
【００３８】
本発明は、上述した実施形態に限定されるものではなく、特許請求の範囲内で種々改変できる。
【００３９】
例えば、上記実施形態の基材１２０は紙であったが、本発明は、この形態に限定されず、シート状の基材が樹脂フィルムである形態を含む。
【００４０】
また、付箋の大きさ、形状、用途等は特に限定されない。例えば、付箋は、上記実施形態のように略正方形の形状に限定されず、細長い長方形であってもよい。また、付箋は、例えば、メモを書くのに使用されるような比較的大きな形態であってもよいし、しおりとして利用されるような比較的小さな小片であってもよい。
【００４１】
また、付箋が貼付される被着体も特に限定されず、例えば、ノートや本等の紙であってもよいし、クリアファイル等の樹脂であってもよいし、あるいは金属であってもよい。
【００４２】
また、上記付箋積層体１００の一方の最外面の側１０４に、例えば台紙等の支持材を配置した形態、および、他方の最外面の側１０５に、例えば表紙を配置した形態等も、本発明の範囲に含まれる。
【符号の説明】
【００４３】
１０    基材の積層体、
１１    塗工部、
１２    未塗工部、
１３    塗工部と未塗工部との境界、
３０    粘着剤、
１００    付箋積層体、
１０１    粘着部、
１０２    非粘着部、
１０３    粘着部と非粘着部との境界、
１０４    積層方向の最外面で基材の一方の面のある側、
１０５    積層方向の最外面で基材の他方の面のある側、
１１０    付箋、
１２０    シート状の基材、
１２１    基材の一方の面、
１２２    基材の他方の面、
１３０    粘着剤層、
Ｂ    刃、
Ｄ    積層方向、
Ｆ    基材を湾曲させるのに加えられる力、
Ｓ    被着体。
【図１】
2020029007.tif 000003
【図２】
2020029007.tif 000004
【図３】
2020029007.tif 000005
【図４】
2020029007.tif 000006
【図５】
2020029007.tif 000007
【図６】
2020029007.tif 000008
【図７】
2020029007.tif 000009
【図８】
2020029007.tif 000010